(57)【特許請求の範囲】
【請求項１】
取り付け部と受け部とを有し、取り付け部をもって第一のパネル及び第二のパネルのいずれか一方に取り付けられた受け部材と、
取り付け部と入れ込み部とを有し、取り付け部をもって第一のパネル及び第二のパネルの他方に取り付けられた押し込み部材とを備えており、
受け部材には、押し込み部材の入れ込み部に形成された係止部に、受け部への入れ込み部の所定位置への入れ込み又は相対的な入れ込みに伴って弾発掛合して、第一のパネルと第二のパネルとの接合をなす掛合爪が備えられており、
押し込み部材には、係止部の手前においてスライド移動可能に支持されると共に、係止部に係合爪を掛合させた状態から入れ込み部をさらに入れ込み又は相対的に入れ込むことに伴って、係合爪に接して前記掛合を解く向きにこの係合爪側を弾性変形させるスライダが備えられていることを特徴とするパネルの接合構造。
【請求項２】
押し込み部材の入れ込み部の所定位置からのさらなる入れ込み又は相対的な入れ込みが、第一のパネルと第二のパネルとの接合箇所に介装されたスペーサーによって阻止されていることを特徴とする請求項１に記載のパネルの接合構造。
【請求項３】
スペーサーが、弾性体によって構成されたパッキン材であることを特徴とする請求項２に記載のパネルの接合構造。
【請求項４】
受け部材に、パッキン材を、取り外し可能に組み合わさせる組み合わせ部が形成されていることを特徴とする請求項３に記載のパネルの接合構造。
【請求項５】
取り付け部と受け部とを有し、取り付け部をもって第一のパネル及び第二のパネルのいずれか一方に取り付けられる受け部材と、
取り付け部と入れ込み部とを有し、取り付け部をもって第一のパネル及び第二のパネルの他方に取り付けられる押し込み部材とからなり、
受け部材には、押し込み部材の入れ込み部に形成された係止部に、受け部への入れ込み部の所定位置への入れ込み又は相対的な入れ込みに伴って弾発掛合する掛合爪が備えられており、
押し込み部材には、係止部の手前においてスライド移動可能に支持されると共に、係止部に係合爪を掛合させた状態から入れ込み部をさらに入れ込み又は相対的に入れ込むことに伴って、係合爪に接して前記掛合を解く向きにこの係合爪側を弾性変形させるスライダが備えられていることを特徴とするパネルの接合用クリップ。
【発明の詳細な説明】
【技術分野】
【０００１】
この発明は、受け部材と押し込み部材とからなるクリップを含んでなるものであり、第一のパネル及び第二のパネルのいずれか一方に取り付けられた受け部材にこれらの他方に取り付けられた押し込み部材を組み合わせることにより、かかるクリップを介して両パネルを接合させ合わせる接合構造、およびこれに用いられるクリップに関する。
【背景技術】
【０００２】
接合させ合わされるパネルの一方の接合縁部に形成させた掛合部に、他方のパネルの接合縁部に備えさせたロック部材を、この他方のパネルを下方に移動させることで弾性的に掛合させて、二枚のパネルを接合させ合わせるようにしたものとして、特許文献１に示されるものがある。しかるに、この特許文献１に示されるものにあっては、二枚のパネルの接合を解く際には、ロック部材の弾性掛合片を前記掛合部との掛合を解く向きに操作することを要するものであった。
【特許文献１】特開２０００−２６５６９５号公報
【発明の開示】
【発明が解決しようとする課題】
【０００３】
この発明が解決しようとする主たる問題点は、二枚のパネルを受け部材と押し込み部材とからなるクリップによって接合させ合わせると共に、接合の解除をクリップに対して格別の操作をなすことなく、主としてパネルの移動により行えるようにする点にある。
【課題を解決するための手段】
【０００４】
前記課題を達成するために、この発明にあっては、パネルの接合構造を、以下の（１）〜（４）の構成を備えたものとした。
（１）取り付け部と受け部とを有し、取り付け部をもって第一のパネル及び第二のパネルのいずれか一方に取り付けられた受け部材と、
（２）取り付け部と入れ込み部とを有し、取り付け部をもって第一のパネル及び第二のパネルの他方に取り付けられた押し込み部材とを備えており、
（３）受け部材には、押し込み部材の入れ込み部に形成された係止部に、受け部への入れ込み部の所定位置への入れ込み又は相対的な入れ込みに伴って弾発掛合して、第一のパネルと第二のパネルとの接合をなす掛合爪が備えられており、
（４）押し込み部材には、係止部の手前においてスライド移動可能に支持されると共に、係止部に係合爪を掛合させた状態から入れ込み部をさらに入れ込み又は相対的に入れ込むことに伴って、係合爪に接して前記掛合を解く向きにこの係合爪側を弾性変形させるスライダが備えられている。
【０００５】
また、前記課題を達成するために、この発明にあっては、パネルの接合用クリップを、以下の（１）〜（４）の構成を備えたものとした。
（１）取り付け部と受け部とを有し、取り付け部をもって第一のパネル及び第二のパネルのいずれか一方に取り付けられる受け部材と、
（２）取り付け部と入れ込み部とを有し、取り付け部をもって第一のパネル及び第二のパネルの他方に取り付けられる押し込み部材とからなり、
（３）受け部材には、押し込み部材の入れ込み部に形成された係止部に、受け部への入れ込み部の所定位置への入れ込み又は相対的な入れ込みに伴って弾発掛合する掛合爪が備えられており、
（４）押し込み部材には、係止部の手前においてスライド移動可能に支持されると共に、係止部に係合爪を掛合させた状態から入れ込み部をさらに入れ込み又は相対的に入れ込むことに伴って、係合爪に接して前記掛合を解く向きにこの係合爪側を弾性変形させるスライダが備えられている。
【０００６】
第一のパネル及び第二のパネルのいずれか一方に受け部材を、これらの他方に押し込み部材を、それぞれ取り付け部をもって取り付けさせた状態から、受け部材の受け部に押し込み部材の入れ込み部を所定位置まで入れ込むことで、受け部材の掛合爪を押し込み部材の係止部に弾発掛合させて両パネルをクリップを介してワンタッチで接合させることができる。また、この接合状態は前記入れ込み部を前記所定位置からさらに受け部に入れ込み又は相対的に入れ込ませるように第一のパネル及び第二のパネルの双方又はいずれか一方を操作することで、ワンタッチで解くことができる。すなわち、前記入れ込み部を前記所定位置からさらに受け部に入れ込み又は相対的に入れ込ませると、スライダが掛合爪に突き当たり入れ込み後方側にスライダが移動されきった状態において掛合爪をこの掛合爪側の弾性変形によりこのスライダに乗り上げさせて、係止部とこの掛合爪との掛合を解くことができる。この状態から、次に受け部から入れ込み部を抜き出させるように第一のパネル及び第二のパネルの双方又はいずれか一方を操作すると、掛合爪側の弾性によりスライダは掛合爪を乗り上げさせたままの状態で入れ込み部の先端側に移動され、係止部に掛合爪を掛合させることなく、受け部から入れ込み部を抜き出させることができる。これにより、第一のパネルと第二のパネルの接合を解くことができる。
【０００７】
前記押し込み部材の入れ込み部の所定位置からのさらなる入れ込み又は相対的な入れ込みを、第一のパネルと第二のパネルとの接合箇所に介装されたスペーサーによって阻止させるようにしておくこともある。このようにした場合、第一のパネルと第二のパネルとの接合箇所からかかるスペーサーを取り外さない限り、押し込み部材の入れ込み部の所定位置からのさらなる入れ込み又は相対的な入れ込みをなすことができないようにすると共に、このスペーサーを取り外すことによりこの入れ込み又は相対的な入れ込みを許容して第一のパネルと第二のパネルの接合を解くことができる。
【０００８】
かかるスペーサーを、弾性体によって構成されたパッキン材として構成しておけば、かかるスペーサーによって第一のパネルと第二のパネルとの接合箇所のシールをなすことができる。
【０００９】
また、受け部材に、かかるパッキン材を取り外し可能に組み合わさせる組み合わせ部を形成させておけば、かかるパッキン材を受け部材を利用して位置決めできると共に、第一のパネルと第二のパネルの接合を解く際には受け部材とパッキン材を分離させることができる。
【発明の効果】
【００１０】
この発明によれば、クリップを構成する受け部材の受け部に入れ込み部を所定位置まで入れ込ませてこれに掛合組み合わされたクリップを構成する押し込み部材により接合させ合わされた第一及び第二のパネルのこの接合の解除を、かかるクリップに対して格別の操作をなすことなく、主としてパネルの移動により行うことができ、この解除を容易になすことができる。
【発明を実施するための最良の形態】
【００１１】
以下、図１〜図７に基づいて、この発明を実施するための最良の形態について説明する。
【００１２】
なお、ここで図１〜図５はパネルの接合構造およびこれを構成するクリップＣの一例を、図６および図７は図１〜図５に示される受け部材１の構成の一部を変更させた例を、それぞれ示している。
【００１３】
この実施の形態にかかるパネルの接合構造は、受け部材１と押し込み部材２とからなるクリップＣを含んでなるものであり、第一のパネルＰ１及び第二のパネルＰ２のいずれか一方に取り付けられた受け部材１にこれらの他方に取り付けられた押し込み部材２を組み合わせることにより、かかるクリップＣを介して両パネルＰ１、Ｐ２を接合させ合わせるものである。
【００１４】
また、この実施の形態にかかるクリップＣは、かかる第一のパネルＰ１及び第二のパネルＰ２のいずれか一方に取り付けられる受け部材１とこれらの他方に取り付けられる押し込み部材２とからなり、両パネルＰ１、Ｐ２の接合に用いられるものである。
【００１５】
図示の例では、かかる第一のパネルＰ１を壁パネルとすると共に、かかる第二のパネルＰ２をこの壁パネル上に支持される天井パネルとしている。より具体的には、図示の例では、かかる壁パネルと天井パネルをユニットバスを構成するパネルとしている。ユニットバスを構成するパネルの場合、その浴室外側の面には図示しない断熱材などが貼り込まれる。
【００１６】
図示の例では、第一のパネルＰ１は、その上端にユニットバスの浴室外側に向けて横向きに突き出すフランジ部Ｐ１ａを備えたものとなっている。また、第二のパネルＰ２は、その端部に立ち上がり部Ｐ２ａと、この立ち上がり部Ｐ２ａの突きだし端から浴室外側に向けて横向きに突き出す連接部Ｐ２ｃと、この連接部Ｐ２ｃの外端から下方に突き出す外側板部Ｐ２ｂとを備えたものとなっている。そして、図示の例では、第一のパネルＰ１のフランジ部Ｐ１ａの基部となる隅部Ｐ１ｂを、第二のパネルＰ２の立ち上がり部Ｐ２ａの基部よりも浴室内側Ｉｎに位置づけると共に、かかるフランジ部Ｐ１ａの突きだし端Ｐ１ｃを外側板部Ｐ２ｂの内側に位置させるようにして、前記クリップＣを介して両パネルＰ１、Ｐ２を接合させている。かかる第一のパネルＰ１の隅部Ｐ１ｂと第二のパネルＰ２の下面との間には、後述するスペーサー３が介装されている。
【００１７】
受け部材１は、取り付け部１０と受け部１１とを有し、取り付け部１０をもって第一のパネルＰ１及び第二のパネルＰ２のいずれか一方に取り付けられるようになっている。図示の例では、受け部材１は第一のパネルＰ１に取り付けられるようになっている。
【００１８】
また、かかる受け部材１には、押し込み部材２の入れ込み部２１に形成された係止部２１ａに、受け部１１への入れ込み部２１の所定位置への入れ込み又は相対的な入れ込みに伴って弾発掛合して、第一のパネルＰ１と第二のパネルＰ２との接合をなす掛合爪１２が備えられている。
【００１９】
図示の例では、かかる受け部材１は、一対の幅広の側部１３１、１３１と、一対の巾狭の側部１３２、１３２とからなる扁平の角筒状をなす主体部１３を備え、この主体部１３を前記受け部１１としてこの主体部１３の筒一端１３３側から押し込み部材２の入れ込み部２１を内部に受け入れるように構成されている。主体部１３の筒他端１３４側は閉塞されている。
【００２０】
主体部１３を構成する一対の幅広の側部１３１、１３１の一方には、筒一端１３３側から筒他端１３４側に向かって続く一対の縦向きの割溝１３５ａ、１３５ａと、この一対の縦向きの割溝１３５ａ、１３５ａの筒他端１３４側の溝端間に亘る横向きの割溝１３５ｂによって区分された箇所により弾性片部１３６が形成されている。弾性片部１３６は筒一端１３３側の基部を変形中心として外向きに撓み出すようになっていると共に、その先端側にその巾方向に亘って主体部１３の内部に突き出すリブ状をなす掛合爪１２を備えている。
【００２１】
図１〜図５に示される例では、かかる受け部材１は、その主体部１３の筒他端１３４側において、巾狭の側部１３２から側方に突き出す耳部１３７を備えており、この耳部１３７にはネジなどの軸状止め具の通し穴１３７ａが形成されている。そして、第一のパネルＰ１のフランジ部Ｐ１ａの上面に主体部１３の筒他端１３４を接しさせた状態でこの耳部１３７の通し穴１３７ａを通じて軸状止め具をフランジ部Ｐ１ａに止着させることで、受け部材１は第一のパネルＰ１に取り付けられるようになっている。すなわち、図１〜図５に示される例では、かかる耳部１３７が前記取り付け部１０として機能するようになっている。
【００２２】
また、図６および図７に示される例では、かかる受け部材１は、その主体部１３の筒一端１３３側において、幅広の側部１３１から側方に突き出す鍔部１３８ａを備えると共に、巾狭の側部１３２にこの鍔部１３８ａよりも下方となる位置に割溝１３８ｃにより区分されると共に外側に突き出す掛合突部１３８ｂを備えている。そして、この例では、第一のパネルＰ１のフランジ部Ｐ１ａに形成された取り付け穴Ｐ１ｄに鍔部１３８ａが引っかかる位置まで主体部１３を上方から入れ込ませることで、この入れ込みの過程において一旦内向きに撓み込まされた掛合突部１３８ｂが取り付け穴Ｐ１ｄを通り抜けた位置で弾発して、鍔部１３８ａとの間で第一のパネルＰ１を挟み付けて、受け部材１を第一のパネルＰ１に取り付けるようになっている。すなわち、この図６および図７に示される例では、かかる鍔部１３８ａと掛合突部１３８ｂが前記取り付け部１０として機能するようになっている。
【００２３】
一方、押し込み部材２は、取り付け部２０と入れ込み部２１とを有し、取り付け部２０をもって第一のパネルＰ１及び第二のパネルＰ２の他方に取り付けられるようになっている。図示の例では、押し込み部材２は第二のパネルＰ２に取り付けられるようになっている。
【００２４】
また、かかる押し込み部材２には、前記係止部２１ａの手前においてスライド移動可能に支持されると共に、係止部２１ａに掛合爪１２を掛合させた状態から入れ込み部２１をさらに入れ込み又は相対的に入れ込むことに伴って、掛合爪１２に接して前記掛合を解く向きにこの掛合爪１２を弾性変形させるスライダ２１ｂが備えられている。
【００２５】
図示の例では、かかる押し込み部材２は、外縁の輪郭形状を長方形状とする周回鍔部２２を中間に有し、取り付け状態において上方に位置される側に角筒状部２３を、下方に位置される側に入れ込み部２１を備えている。
【００２６】
角筒状部２３は、割溝２３ａにより区分されると共に外側に突き出す掛合突部２３ｂを備えている。そして、図示の例では、第二のパネルＰ２に形成された取り付け穴Ｐ２ｅに周回鍔部２２が引っかかる位置まで角筒状部２３を下方から入れ込ませることで、この入れ込みの過程において一旦内向きに撓み込まされた掛合突部２３ｂが取り付け穴Ｐ２ｅを通り抜けた位置で弾発して、周回鍔部２２との間で第二のパネルＰ２を挟み付けて、押し込み部材２を第二のパネルＰ２に取り付けるようになっている。すなわち、この例では、かかる周回鍔部２２と掛合突部が前記取り付け部２０として機能するようになっている。
【００２７】
押し込み部材２の入れ込み部２１は、板状主体２１ｄにスライダ２１ｂを組み合わせることで構成されている。板状主体２１ｄの厚さは、受け部材１の構成する主体部１３の一対の幅広の側部１３１、１３１の内面間の寸法と略等しくなっている。また、板状主体２１ｄには、その下辺２１ｅに平行な窓縁２１ｇと、この窓縁２１ｇに直交する窓縁２１ｈとを持つように形成された貫通穴状をなす方形の窓穴２１ｆが設けられている。
【００２８】
図示の例では、前記スライダ２１ｂは、この窓穴２１ｆ内に納められ、押し込み部材２の入れ込み部２１の受け部材１の受け部１１への入れ込み方向ｘに沿った向きでのスライド移動（往動及び復動）可能に支持されている。スライダ２１ｂは、板状主体２１ｄと略同じ厚さを有すると共に、前記入れ込み方向ｘに沿った向きにおいて窓穴２１ｆよりも巾狭で、かつ、この向きに沿った窓穴２１ｆの両内側部間に亘る長さを備えた細長い板状をなすように構成されている。スライダ２１ｂの両端部には、前記入れ込み方向ｘに沿った窓穴２１ｆの両内側部にそれぞれ形成されたこの入れ込み方向ｘに沿って続くリブ２１ｉを収める凹所２１ｃが形成されており、かかる凹所２１ｃに対応するリブ２１ｉを納めるようにして窓穴２１ｆ内に、入れ込み部２１側及びスライダ２１ｂ側の双方又はいずれか一方を弾性変形させながら、スライダ２１ｂを嵌め入れさせることで、前記スライド移動可能に入れ込み部２１にスライダ２１ｂが備えられている。（図２）図示の例では、押し込み部材２の入れ込み部２１を受け部材１の受け部１１に入れ込み又は相対的に入れ込むと、掛合爪１２は押し込み部材２の入れ込み部２１の下辺２１ｅ部に接して弾性片部１３６は外向きに一旦撓み出される。この入れ込みが所定位置までなされると、掛合爪１２が入れ込み部２１の下辺２１ｅ側のこの下辺２１ｅに平行な窓縁２１ｇとスライダ２１ｂとの間に弾性片部１３６の弾性復帰によって入り込むようになっている。（図３）これにより、受け部材１の受け部１１から押し込み部材２の入れ込み部２１が抜け出さない状態が作り出される。すなわち、図示の例では、かかる窓穴２１ｆの入れ込み部２１の下辺２１ｅ側のこの下辺２１ｅに平行な窓縁２１ｇが、前記係止部２１ａとして機能するようになっている。
【００２９】
図示の例では、押し込み部材２の入れ込み部２１が受け部材１の受け部１１に所定位置まで入れ込まれた状態において、押し込み部材２の周回鍔部２２と受け部材１の主体部１３の筒一端１３３との間、および押し込み部材２の入れ込み部２１の下辺２１ｅと受け部材１の主体部１３の塞がれた筒他端１３４の内奥部との間に間隔Ｓが形成されており、かかる所定位置からさらに押し込み部材２の入れ込み部２１の入れ込み又は相対的な入れ込みが許容されるようになっている。（図３）
【００３０】
第一のパネルＰ１に受け部材１を、第二パネルに押し込み部材２を、それぞれ取り付け部１０をもって取り付けさせた状態から、受け部材１の受け部１１に押し込み部材２の入れ込み部２１を所定位置まで入れ込むことで、受け部材１の掛合爪１２を押し込み部材２の係止部２１ａに弾発掛合させて両パネルＰ１、Ｐ２をクリップＣを介してワンタッチで接合させることができる。（図３）また、この接合状態は前記入れ込み部２１を前記所定位置からさらに受け部１１に入れ込み又は相対的に入れ込ませるように第一のパネルＰ１及び第二のパネルＰ２の双方又はいずれか一方を操作することで、ワンタッチで解くことができる。すなわち、前記入れ込み部２１を前記所定位置からさらに受け部１１に入れ込み又は相対的に入れ込ませると、スライダ２１ｂが掛合爪１２に突き当たり入れ込み後方側にスライダ２１ｂが移動されきった状態において弾性片部を撓み出させながら掛合爪１２をこのスライダ２１ｂに乗り上げさせて、係止部２１ａとこの掛合爪１２との掛合を解くことができる。（図４）この状態から、次に受け部１１から入れ込み部２１を抜き出させるように第一のパネルＰ１及び第二のパネルＰ２の双方又はいずれか一方を操作すると、掛合爪１２側の弾性によりスライダ２１ｂは掛合爪１２を乗り上げさせたままの状態で入れ込み部２１の先端側（下辺側）に移動され、係止部２１ａに掛合爪１２を掛合させることなく、受け部１１から入れ込み部２１を抜き出させることができる。（図５）これにより、第一のパネルＰ１と第二のパネルＰ２の接合を解くことができる。
【００３１】
また、この実施の形態にあっては、押し込み部材２の入れ込み部２１の所定位置からのさらなる入れ込み又は相対的な入れ込みが、第一のパネルＰ１と第二のパネルＰ２との接合箇所に介装されたスペーサー３によって阻止されている。
【００３２】
図示の例では、第一のパネルＰ１の隅部Ｐ１ｂと第二のパネルＰ２の下面との間にスペーサー３を介装させた状態で、前記クリップＣを介して第一のパネルＰ１と第二のパネルＰ２とを接合させている。
【００３３】
これにより、この実施の形態にあっては、第一のパネルＰ１と第二のパネルＰ２との接合箇所からかかるスペーサー３を取り外さない限り、押し込み部材２の入れ込み部２１の所定位置からのさらなる入れ込み又は相対的な入れ込みをなすことができないようにすると共に、このスペーサー３を取り外すことによりこの入れ込み又は相対的な入れ込みを許容して第一のパネルＰ１と第二のパネルＰ２の接合を解くことができる。
【００３４】
図示の例では、かかるスペーサー３は、弾性体によって構成されたパッキン材３０となっている。これにより、図示の例では、かかるスペーサー３によって第一のパネルＰ１と第二のパネルＰ２との接合箇所のシールをなすことができるようになっている。
【００３５】
また、図示の例では、受け部材１に、かかるパッキン材３０を、取り外し可能に組み合わさせる組み合わせ部１４が形成されている。これにより図示の例では、かかるパッキン材３０を受け部材１を利用して位置決めできると共に、第一のパネルＰ１と第二のパネルＰ２の接合を解く際には受け部材１とパッキン材３０を分離させることができる。
【００３６】
図示の例では、第一のパネルＰ１の隅部Ｐ１ｂと第二のパネルＰ２の下面との間からパッキン材３０を抜き出すと、自重により第二のパネルＰ２がパッキン材３０の分だけ下がり、これにより押し込み部材２の入れ込み部２１が所定位置よりさらに受け部材１に入れ込まれ、掛合爪１２と係止部２１ａとの掛合が解かれるようになっている。（図３から図４）この状態から、第二のパネルＰ２を上方に持ち上げると、（あるいは、第一のパネルＰ１を下方に移動させると）受け部材１から押し込み部材２の入れ込み部２１が抜き出され、両パネルＰ１、Ｐ２は分離される。（図５）
【００３７】
図示の例では、パッキン材３０は、ゴム又はゴム状弾性を有する押し出し成型品として構成されている。図示の例では、かかるパッキン材３０は、帯状をなす主体部３０ａの長さ方向に沿った一方縁部に浴室内側Ｉｎに位置されて第一のパネルＰ１の隅部Ｐ１ｂと第二のパネルＰ２の下面との間の目地を塞ぐひれ部３０ｂを有すると共に、主体部３０ａの長さ方向に沿った他方縁部に組み合わせ用の溝部３０ｃを有している。
【００３８】
受け部材１の組み合わせ部１４は、図１〜図５に示される例では、受け部材１の主体部１３の筒他端１３４側において幅広の側部１３１から浴室内側Ｉｎに向けて突き出す突片部１４ａと、この突片部１４ａの突き出し端から上方に向けて突き出す爪部１４ｂとから構成されており、パッキン材３０は前記溝部３０ｃに前記爪部１４ｂを入れ込ませることで、受け部材１に組み合わされている。
【００３９】
また、受け部材１の組み合わせ部１４は、図６および図７に示される例では、受け部材１の主体部１３の筒一端１３３側に形成された浴室内側Ｉｎに向けられた前記鍔部１３８ａに上方に向けて突き出す爪部１４ｃを形成させることで構成されており、パッキン材３０は前記溝部３０ｃにこの爪部１４ｃを入れ込ませることで、受け部材１に組み合わされている。
【００４０】
以上に説明したクリップＣにおける弾性変形特性を有するべき部分へのこの特性の付与は、受け部材１及び押し込み部材２をプラスチックの射出成形品とすることで、容易に確保させることができる。
【図面の簡単な説明】
【００４１】
【図１】クリップＣおよびスペーサー３の斜視構成図
【図２】図１におけるＡ−Ａ線断面図
【図３】接合構造を示す要部断面構成図
【図４】接合構造を示す要部断面構成図
【図５】接合構造を示す要部断面構成図
【図６】受け部材１の変更例を示した斜視構成図
【図７】図６の受け部材１を含んで構成された接合構造を示す要部断面構成図
【符号の説明】
【００４２】
Ｃ  クリップ
Ｐ１  第１のパネル
Ｐ２  第２のパネル
１  受け部材
１０  取り付け部
１１  受け部
１２  掛合爪
２  押し込み部材
２０  取り付け部
２１  入れ込み部
２１ａ  係止部
２１ｂ  スライダ
【図１】
0004928415.tif 000002
【図２】
0004928415.tif 000003
【図３】
0004928415.tif 000004
【図４】
0004928415.tif 000005
【図５】
0004928415.tif 000006
【図６】
0004928415.tif 000007
【図７】
0004928415.tif 000008